(57)【特許請求の範囲】
【請求項１】
通路開口の両側部にそれぞれが配設され、互いに対向して上下方向に連続して延びる幅狭挿入口及び該幅狭挿入口の奥で上下方向に連続して延びかつ該幅狭挿入口の開口幅よりも大きな幅広収納空間をそれぞれが有する一対のガイドレールと、各該ガイドレールの各該幅狭挿入口に各幅方向端部がそれぞれ挿入された状態で昇降可能に設けられて両該ガイドレール間を開放・閉鎖可能なシート体とを備えたスクリーン装置であって、
上記シート体は、各上記幅方向端部にそれぞれが固定され、該シート体が下降して両上記ガイドレール間を閉鎖した状態にあるときに上記幅広収納空間内に上下方向に連続して延びて存在する弾性材料よりなる一対のシール機能付きストッパ体を有し、
上記シール機能付きストッパ体は、上記幅方向端部の上記幅狭挿入口からの抜けを防止可能な該幅狭挿入口の開口幅よりも大きな抜け止め部と、該抜け止め部から一体に突設され、上記幅広収納空間の内壁面との当接により該内壁面との間をシール可能なシール部とを具備していることを特徴とするスクリーン装置。
【請求項２】
前記シール機能付きストッパ体は、前記抜け止め部よりも前記幅広収納空間の奥側に前記シール部をもっていることを特徴とする請求項１記載のスクリーン装置。
【請求項３】
前記シール機能付きストッパ体は、前記シート体の一面側に凸部を有するとともに他面側に該凸部と係合可能な形状をもつ凹部を有していることを特徴とする請求項１又は２記載のスクリーン装置。
【請求項４】
両前記ガイドレール間を閉鎖した状態にある前記シート体の上方部を該シート体の幅方向に連続してシール可能な上部押し付けシール機構をさらに備え、
上記上部押し付けシール機構は、上記シート体の下降に伴って作動する作動リンクと、両上記ガイドレールの上端部間に架け渡され上記シート体の幅方向に連続して延びて設けられた被押し付け部と、該作動リンクに連結され、該作動リンクの作動を介して、両該ガイドレール間を閉鎖した状態にある該シート体の上方部を該被押し付け部に押し付け可能な該シート体の幅方向に連続して延びて設けられた押し付け部材とを具備することを特徴とする請求項１、２又は３記載のスクリーン装置。
【発明の詳細な説明】
【０００１】
【発明の属する技術分野】
本発明は、建築構造物等の内部の通路開口に設置され、火災等の必要時に該通路開口を遮蔽することにより、煙や火炎の拡散を防止したり、あるいは風や埃塵等の進入を防止したりするスクリーン装置に関し、詳しくは上記通路開口を閉鎖した状態にあるシート体の両側部におけるシール性を高めたスクリーン装置に関する。
【０００２】
【従来の技術】
従来、建築構造物等の内部で、火災時の煙や火炎が拡散するのを防止する手段として、通路開口に設置されて火災等の必要時に該通路開口を遮蔽する遮煙スクリーン装置が知られている。
【０００３】
かかる遮煙スクリーン装置として、例えば、通路開口の両側部にそれぞれが配設される一対のガイドレールと、両該ガイドレール間の上方に回動自在に配設される巻き取りドラムと、該巻き取りドラムに巻き回されて両該ガイドレール間を上昇するとともに巻き戻されて下降することにより両該ガイドレール間を開放・閉鎖可能なシート体とを備えたものが提案されている（特開平１１−１８２１５９号公報等参照）。
【０００４】
この遮煙スクリーン装置では、各上記ガイドレールが互いに対向して上下方向に連続して延びる挿入口をそれぞれ有しており、上記シート体は各該ガイドレールの各該挿入口に各幅方向端部がそれぞれ挿入された状態で昇降可能とされている。
【０００５】
したがって、この遮煙スクリーン装置によれば、例えば、火災時の火災信号等により巻き取りドラムからシート体を巻き戻す方向に該巻き取りドラムを駆動回転させれば、該巻き取りドラムから巻き戻されて下降するシート体により両ガイドレール間を閉鎖することができる。
【０００６】
【発明が解決しようとする課題】
しかしながら、上記したような遮煙スクリーン装置では、ガイドレールの挿入口とシート体の幅方向端部との間にはシート体を昇降させるためのクリアランスが上下方向に連続して延びている。このため、シート体が両ガイドレール間を下降して両ガイドレール間を閉鎖した火災時に、上記クリアランスを介してガイドレール内に煙が進入し、この煙がガイドレール内を上昇してガイドレールの上端開口部から上方に流出したり、あるいは上記クリアランス自体から流出したりするおそれがある。
【０００７】
したがって、両ガイドレール間がシート体で閉鎖された状態であっても、シート体で区画された一方の空間から他方の空間へ、シート体の両側にある両ガイドレール内を通って煙が流出するおそれがあり、十分な気密性が得られない場合がある。
【０００８】
このような問題は、上記遮煙スクリーン装置と同様の構成を有する、通路開口を閉鎖して風や塵埃等の進入を防止するためのスクリーン装置においても、同様に発生しうる。
【０００９】
本発明は上記実情に鑑みてなされたものであり、ガイドレール内でシート体とガイドレール内面との間の気密性を向上させることを解決すべき技術課題とするものである。
【００１０】
【課題を解決するための手段】
上記課題を解決する本発明のスクリーン装置は、通路開口の両側部にそれぞれが配設され、互いに対向して上下方向に連続して延びる幅狭挿入口及び該幅狭挿入口の奥で上下方向に連続して延びかつ該幅狭挿入口の開口幅よりも大きな幅広収納空間をそれぞれが有する一対のガイドレールと、各該ガイドレールの各該幅狭挿入口に各幅方向端部がそれぞれ挿入された状態で昇降可能に設けられて両該ガイドレール間を開放・閉鎖可能なシート体とを備えたスクリーン装置であって、上記シート体は、各上記幅方向端部にそれぞれが固定され、該シート体が下降して両上記ガイドレール間を閉鎖した状態にあるときに上記幅広収納空間内に上下方向に連続して延びて存在する弾性材料よりなる一対のシール機能付きストッパ体を有し、上記シール機能付きストッパ体は、上記幅方向端部の上記幅狭挿入口からの抜けを防止可能な該幅狭挿入口の開口幅よりも大きな抜け止め部と、該抜け止め部から一体に突設され、上記幅広収納空間の内壁面との当接により該内壁面との間をシール可能なシール部とを具備していることを特徴とするものである。
【００１１】
好適な態様において、前記シール機能付きストッパ体は、前記抜け止め部よりも前記幅広収納空間の奥側に前記シール部をもっている。
【００１２】
好適な態様において、前記シール機能付きストッパ体は、前記シート体の一面側に凸部を有するとともに他面側に該凹部と係合可能な形状をもつ凹部を有している。
【００１３】
本発明のスクリーン装置は、好適な態様において、両前記ガイドレール間を閉鎖した状態にある前記シート体の上方部を該シート体の幅方向に連続してシール可能な上部押し付けシール機構をさらに備え、上記上部押し付けシール機構は、上記シート体の下降に伴って作動する作動リンクと、両上記ガイドレールの上端部間に架け渡され上記シート体の幅方向に連続して延びて設けられた被押し付け部と、該作動リンクに連結され、該作動リンクの作動を介して、両該ガイドレール間を閉鎖した状態にある該シート体の上方部を該被押し付け部に押し付け可能な該シート体の幅方向に連続して延びて設けられた押し付け部材とを具備する。
【００１４】
【発明の実施の形態】
本発明のスクリーン装置においては、幅狭挿入口及び幅広収納空間をもつガイドレールの該幅狭挿入口に幅方向端部を挿入した状態でシート体が昇降可能に設けられ、このシート体の上記幅方向端部に、該シート体が下降して両ガイドレール間を閉鎖した状態にあるときに該幅広収納空間内に上下方向に連続して延びて存在する弾性材料よりなる一対のシール機能付きストッパ体が固定されている。そして、このシール機能付きストッパ体は、上記幅方向端部の上記幅狭挿入口からの抜けを防止可能な該幅狭挿入口の開口幅よりも大きな抜け止め部と、該抜け止め部から一体に突設され、上記幅広収納空間の内壁面との当接により該内壁面との間をシール可能なシール部とを有している。
【００１５】
このため、シート体が両ガイドレール間を昇降するとき又は閉鎖しているときに、シート体の幅方向端部がガイドレールの幅挟挿入口から抜け出ることを、シール機能付きストッパ体の抜け止め部により確実に防止することができる。そして、シート体が両ガイドレール間を閉鎖しているときは、ガイドレールの幅広収納空間内で上下方向に連続して延びて存在するシール機能付きストッパ体のシール部と該幅広収納空間の内壁面との当接により、両者間を上下方向に連続してシールすることができる。このため、シート体が両ガイドレール間を閉鎖しているとき、シート体の両側部にあるガイドレール内でシート体とガイドレール内面との間の気密性を確実に向上させることができる。したがって、本発明のスクリーン装置によれば、煙、風や塵埃等を確実に遮断することが可能となる。
【００１６】
本発明のスクリーン装置は、建物内等の所定の位置で、火災時の煙や火炎が拡散するのを防止したり、あるいは風や埃塵等の進入を防止したりするために、所定の通路開口に設置されるもので、該通路開口の両側部にそれぞれが配設される一対のガイドレールと、両ガイドレール間を昇降自在に設けられて開放・閉鎖可能なシート体とを備えている。
【００１７】
上記通路開口としては特に限定されず、例えば、建物内の廊下、出入り口やエレベータの扉の前等を挙げることができる。
【００１８】
上記通路開口の両側部に設置される各ガイドレールは、互いに対向して上下方向に連続して延びる幅狭挿入口と、この幅狭挿入口の奥で上下方向に連続して延びかつ該幅狭挿入口の開口幅よりも大きな幅広収納空間とをそれぞれが有している。
【００１９】
上記幅挟挿入口は、シート体が摺接又は容易に通過しうるようにシート体の厚さよりも少なくとも若干大きな開口幅を有するもので、この一定の開口幅で上下方向に連続して延びる一対の対向壁部で形成することができる。
【００２０】
上記幅広収納空間は、少なくとも幅挟挿入口の開口幅よりも大きな開口幅をもつとともに、後述するシール機能付きストッパ体を収納可能でかつ該シール機能付きストッパ体が上下方向に遊動又は摺動可能な空間であり、このシール機能付きストッパ体の外形状とほぼ対応する断面形状（内面形状）が上下方向に連続して延びたものとすることができる。
【００２１】
この幅広収納空間の断面形状（内面形状）は、シール機能付きストッパ体の抜け止め部とシール部のそれぞれの外面形状に対応したものとすることが好ましい。こうすれば、幅広収納空間の内壁面に当接可能なシール機能付きストッパ体の範囲が広がるため、抜け止め部も含めたシール機能付きストッパ体の外面と幅広収納空間の内壁面との当接面積、すなわちシール面積の増大により気密性をより高めることができる。すなわち、幅広収納空間は、シール機能付きストッパ体の抜け止め部の外面形状に対応して該抜け止め部と係合しつつ当接可能な規制内壁面と、シール機能付きストッパ体のシール部の外面形状に対応して該シール部と係合しつつ当接可能なシール内壁面とを有することが好ましい。なお、シール機能付きストッパ体の抜け止め部と幅広収納空間の規制内壁面とが当接すれば、当然この当接部位でもシール機能が発揮される。また、シール機能付きストッパ体の抜け止め部と規制内壁面との係合により、該抜け止め部を幅広収納空間内に確実に保持させることができ、抜け止め機能をより高めることができる。
【００２２】
上記シート体は、各上記ガイドレールの各上記幅狭挿入口に各幅方向端部がそれぞれ挿入された状態で昇降可能に設けられる。したがって、シート体の昇降により、両ガイドレール間をシート体により開放・閉鎖することができる。
【００２３】
このシート体の材質は特に限定されるものではないが、火災時の煙や火炎が拡散するのを防止する遮煙用スクリーン装置に本発明のスクリーン装置を適用する場合は、ガラス繊維の織布やシリカクロス等の不燃又は耐火材料とすることが好ましい。
【００２４】
シート体を両ガイドレール間で昇降させるための装置としては、特に限定されないが、例えば、両前記ガイドレール間の上方に回動自在に配設され、シート体が巻き戻し自在に巻き取られる巻き取りドラムを備えたものとすることができる。この巻き取りドラムは、正逆回転可能なモータ等の駆動手段を備えた駆動ユニットにより、シート体を巻き回す方向及び巻き戻す方向のいずれにも回転可能とすることができる。また、手動又は無線等の電気信号により解除可能なロック機構を駆動ユニットに内蔵させるとともに、シート体の下端部に重りを取り付けることもできる。こうすれば、停電等によりモータ等の駆動手段が作動しない場合であっても、手動又は煙感知器信号等の非常用電気信号によりロック機構を解除すれば、巻き取りドラムに巻き取られたシート体を、自重により巻き取りドラムから巻き戻すとともにガイドレール間を下降させて閉鎖することができる。なお、上記駆動ユニットとしては、手動によりシート体を巻き取る構成としてもよい。
【００２５】
上記シート体は、各幅方向端部にそれぞれが固定され、該シート体が下降して両上記ガイドレール間を閉鎖した状態にあるときに上記幅広収納空間内に上下方向に連続して延びて存在する弾性材料よりなる一対のシール機能付きストッパ体を有している。
【００２６】
このシール機能付きストッパ体を構成する弾性材料としては、特に限定されないが、火災時の煙や火炎が拡散するのを防止する遮煙用スクリーン装置に本発明を適用する場合は、シリコーン系等の耐熱性ゴムを採用することが好ましい。
【００２７】
上記シール機能付きストッパ体は、シート体の幅方向端部の上記幅狭挿入口からの抜けを防止可能な該幅狭挿入口の開口幅よりも大きな抜け止め部と、該抜け止め部から一体に突設され、上記幅広収納空間の内壁面との当接により該内壁面との間をシール可能なシール部とを具備している。
【００２８】
上記抜け止め部及びシール部の形状は特に限定されないが、上記シール部は、抜け止め部から上記シート体の一面側及び他面側にそれぞれ少なくとも１個ずつ突出するように一体に突設された複数の突起状物を有するものとすることが好ましい。こうすれば、シート体が下降して両上記ガイドレール間を閉鎖した状態にあるとき、風圧等により該シート体が一面側又は他面側へ押されて移動することにより、一面側又は他面側へ突出した少なくとも１個の突起状物を上記幅広収納空間の内壁面の上記シール内壁面に確実にかつ風圧等による高い押圧力で当接させることができ、気密性をより高めることができる。
【００２９】
また、上記シール機能付きストッパ体は、抜け止め部よりも幅広収納空間の奥側にシール部をもつものとすることが好ましい。こうすれば、シール部が抜け止め部よりも幅広収納空間の奥側に配置されるので、該シール部を熱、風や塵埃等から護るのに有利となり、シール部の劣化を抑えて耐久性を向上させることができる。
【００３０】
さらに、上記シール機能付きストッパ体は、上記シート体の一面側に凸部を有するとともに他面側に該凸部と係合可能な形状をもつ凹部を有するものとすることが好ましい。こうすれば、シート体を両ガイドレール間の上方で巻き取りドラム等に巻き取ったときに、上記凸部及び上記凹部を該巻き取りドラムの径方向に凹凸係合しつつ重ね合わせることができる。このため、シール機能付きストッパ体が重ね合わされることによる嵩張りや膨れ上がりを少なくすることができ、したがって巻き取られたシート体を設置するために必要なスペース等が小さくなる。
【００３１】
なお、上記シート体が両上記ガイドレール間を下降するとき又は閉鎖した状態にあるときに、上記シール機能付きストッパ体のシール部は、少なくとも一部が上記幅広収納空間のシール内壁面に常に当接する態様であっても、あるいは通常時は該シール内壁面に当接せず、風圧等によりシート体が移動してはじめて少なくとも一部が該シール内壁面に当接する態様であっても、いずれでもよい。
【００３２】
本発明のスクリーン装置は、両上記ガイドレール間を閉鎖した状態にある上記シート体の上方部を該シート体の幅方向に連続してシール可能な上部押し付けシール機構をさらに備えた構成とすることもできる。こうすれば、シート体が両ガイドレール間を閉鎖しているとき、シート体の両側部のみならず、シート体の上方部でも上部押し付けシール機構により幅方向に連続してシールして気密性を高めることができる。したがって、煙、風や塵埃等をより確実に遮断することが可能となる。
【００３３】
上記上部押し付けシール機構は、シート体の下降に伴って作動する作動リンクと、両ガイドレールの上端部間に架け渡され該シート体の幅方向に連続して延びて設けられた被押し付け部と、該作動リンクに連結され、該作動リンクの作動を介して、両該ガイドレール間を閉鎖した状態にある該シート体の上方部を該被押し付け部に押し付け可能な該シート体の幅方向に連続して延びて設けられた押し付け部材とを具備する構成とすることができる。かかる構成によれば、シート体の下降に伴って作動する作動リンクに連結されるとともに該シート体の幅方向に連続して延びて設けられた押し付け部材により、該作動リンクの作動を介して、両ガイドレール間を閉鎖した状態にあるシート体の上方部を被押し付け部に押し付けてシールすることができる。
【００３４】
【実施例】
以下、実施例により本発明を具体的に説明する。
【００３５】
（実施例１）
本実施例は、本発明のスクリーン装置をエレベータ扉の前に設置する遮煙用のスクリーン装置に適用したものである。
【００３６】
図１〜図５に示すこのスクリーン装置は、エレベータ扉前の通路開口の両側部にそれぞれが配設される一対のガイドレール１、１と、両ガイドレール１、１間の上方に回動自在に配設される巻き取りドラム２と、この巻き取りドラム２に巻き回されて両ガイドレール１、１間を上昇するとともに巻き戻されて下降することにより、両ガイドレール１、１間を昇降可能に設けられて両ガイドレール１、１間を開放・閉鎖可能なシート体３とを主に備えている。
【００３７】
各上記ガイドレール１、１は、互いに対向して上下方向に連続して延びる幅狭挿入口４、４と、この幅狭挿入口４、４の奥で上下方向に連続して延びかつ幅狭挿入口４、４の開口幅よりも大きな幅広収納空間５、５とをそれぞれが有している。なお、幅挟挿入口４及び幅広収納空間５は、いずれもガイドレール１の全体、すなわちガイドレール１の上端から下端まで連続して延びている。
【００３８】
上記幅挟挿入口４は、シート体３が容易に通過しうるようにシート体３の厚さよりも大きな開口幅を有するもので、この一定の開口幅で上下方向に連続して延びる一対の対向壁部６、６（図４参照）間に形成されている。
【００３９】
上記幅広収納空間５は、幅挟挿入口４の開口幅よりも大きな開口幅をもつとともに、後述するシール機能付きストッパ体９を収納可能でかつ該シール機能付きストッパ体９が上下方向に遊動可能な空間であり、このシール機能付きストッパ体９の抜け止め部１０とシール部１１、１２とのそれぞれの外面形状に対応する断面形状（内面形状）が上下方向に連続して延びたものである（図４参照）。なお、この幅広収納空間５の断面形状（内面形状）の詳細については後述する。
【００４０】
上記シート体３は、各上記ガイドレール１、１の各上記幅狭挿入口４、４に各幅方向端部３ａ、３ａがそれぞれ挿入された状態で昇降可能に設けられている。このシート体３は、不燃又は耐火材料としてのシリカクロスよりなる。そして、シート体３の先端部（下端部）には、シート体３が自重により両ガイドレール１、１間を下降しうるように重り７が取り付けられている。なお、各幅方向端部３ａはその先端に略円柱状膨出部３ｂ、３ｂ（図４参照）をそれぞれもっており、各略円柱状膨出部３ｂ、３ｂはシート体３の基端から先端までシート体３の全体にわたって長さ方向に連続して延びている。
【００４１】
シート体３の基端部は、該シート体３を両ガイドレール１、１間で昇降させるための巻き取りドラム２に固定されている。この巻き取りドラム２は、両ガイドレール１、１間の上方に配設される図示しないケースの側壁に回動可能に軸支され、正逆回転可能なモータ（図示せず）を備えた駆動ユニット８により、シート体３を巻き回す方向及び巻き戻す方向のいずれにも回転可能とされている。この駆動ユニット８は、シート体３を巻き取った状態で保持するロック機構（図示せず）を備えており、このロック機構は手動又は無線等の電気信号により解除可能となされている。また、駆動ユニット８は、自重により落下しようとするシート体３の落下荷重に対抗してその落下速度を減速せしめてシート体３の急激な落下を防止しうる落下防止機構（図示せず）を備えている。
【００４２】
そして、上記シート体３の各幅方向端部３ａ、３ａには、シート体３が下降して両ガイドレール１、１間を閉鎖した状態にあるときに上記幅広収納空間５内にガイドレール１、１の上端から下端まで上下方向に連続して延びて存在する一対のシール機能付きストッパ体９、９が縫い付けによりそれぞれ固定されている。すなわち、このシール機能付きストッパ体９は、シート体３の全体にわたってシート体３の基端から先端まで同一の断面形状（長さ方向に直交する幅方向に沿って切った断面における断面形状）で長さ方向に連続して延びて設けられている。なお、シール機能付きストッパ体９はシリコーン系の耐熱性ゴムにより一体に形成されている。
【００４３】
上記シール機能付きストッパ体９は、シート体３の幅方向端部３ａの略円柱状膨出部３ｂを覆うように設けられた略円筒状の抜け止め部１０と、この抜け止め部１０からシート体３の一面側（エレベータカゴ側。以下、同様）及び他面側（エレベータロビー側。以下、同様）にそれぞれ１個ずつ突出する突起状物としての翼片状のシール部１１、１２が１個ずつ突設されている（図４参照）。
【００４４】
上記略円筒状の抜け止め部１０は、シート体３の幅方向端部３ａがガイドレール１の幅狭挿入口４から抜けることを確実に防止しうるように、該幅狭挿入口４の開口幅よりも大きな幅（シート体３の厚さ方向の幅、円筒の外径）を有している。また、上記翼片状のシール部１１、１２は、ガイドレール１の上記幅広収納空間５の内壁面との当接により該内壁面との間をシール可能とされている。
【００４５】
一方の上記翼片状のシール部１１は、抜け止め部１０の外側（シート体３の幅方向外側で幅広収納空間５の奥側。以下、同様）からシート体３の一面側へ斜め外側に延びる傾斜部１１ａと、この傾斜部１１ａと一体に設けられ、傾斜部１１ａの先端から折れ曲がってシート体３の面と平行にシート体３の幅方向外側に延びる平行部１１ｂとをもっている（図４参照）。同様に、他方の上記翼片状のシール部１２は、抜け止め部１０の外側からシート体３の他面側へ斜め外側に延びる傾斜部１２ａと、この傾斜部１２ａと一体に設けられ、傾斜部１２ａの先端から折れ曲がってシート体３の面と平行にシート体３の幅方向外側に延びる平行部１２ｂとをもっている。したがって、上記シール機能付きストッパ体９は、抜け止め部１０よりも上記幅広収納空間５の奥側に翼片状のシール部１１、１２をもっている。
【００４６】
また、上記シール機能付きストッパ体９を収納する上記ガイドレール１の上記幅広収納空間５は、シール機能付きストッパ体９の略円筒状の抜け止め部１０と翼片状のシール部１１、１２のそれぞれの外面形状に対応した形状を有している。すなわち、この幅広収納空間５は、シール機能付きストッパ体９の略円筒状の抜け止め部１０の外面形状に対応する略円柱状の収納空間５ａを有し、この収納空間５ａの幅挟挿入口４側の内壁面が抜け止め部１０と係合しつつ当接可能な規制内壁面５ｂとされている。また、幅広収納空間５は、翼片状のシール部１１、１２の外面形状に対応する溝状の２個の収納空間５ｃ、５ｃを有し、この収納空間５ｃ、５ｃの内壁面がシール部１１、１２と係合しつつ当接可能なシール内壁面５ｄとされている。
【００４７】
なお、シール機能付きストッパ体９の抜け止め部１０と幅広収納空間５の略円柱状の収納空間５ａとが当接すれば、当然この当接部位でもシール機能が発揮される。
【００４８】
また、本実施例においては、上記シール機能付きストッパ体９と上記幅広収納空間５との間には一定のクリアランスがある。このため、図４に示すように、シート体３の一面側と他面側との間で圧力差のない無圧力時においては、シート体３が両ガイドレール１、１間を下降するとき又は閉鎖した状態にあるときに、シール機能付きストッパ体９の抜け止め部１０及びシール部１１、１２は幅広収納空間５の収納空間５ａ及び５ｃの内壁面にそれぞれ当接しておらず、風圧等によりシート体３が一方側又は他方側へ移動してはじめてそれぞれ当接する態様となっている。
【００４９】
本実施例の遮煙スクリーン装置は、両上記ガイドレール１、１間を閉鎖した状態にある上記シート体３の上方部を該シート体３の幅方向に連続してシール可能な上部押し付けシール機構１３をさらに備えている。
【００５０】
この上部押し付けシール機構１３は、各ガイドレール１、１の上方で揺動可能にそれぞれ設けられシート体３の下降に伴って作動する一対の作動リンク１４、１４と、両ガイドレール１、１の上端部１ａ、１ａ間に架け渡され該シート体３の幅方向に連続して延びて設けられた被押し付け部としての被押し付け梁１５と、各作動リンク１４、１４に両端が連結され、各作動リンク１４、１４の作動を介して、両ガイドレール１、１間を閉鎖した状態にあるシート体３の上方部を被押し付け梁１５に押し付け可能なシート体３の幅方向に連続して延びて設けられた押し付け部材としての上部押し付けローラ１６とを具備している。
【００５１】
各作動リンク１４、１４は、各ガイドレール１、１の上端部外側から上方に延びて設けられた支持片（図示せず）に揺動可能に支持されている。また、上部押し付けローラ１６は、両作動リンク１４、１４間で回動可能に軸支されている。そして、各作動リンク１４、１４には、一端が巻き取りドラム２の支持板に連結され、巻き取りドラム２の回転芯方向に収縮可能とされた一対のバネ（図示せず）の他端がそれぞれ連結されている。
【００５２】
そして、図１及び図２に示すように、巻き取りローラ２から巻き出されたシート体３の先端が上部押し付けローラ１６のエレベータカゴ側を通ってから被押し付け梁１５のエレベータロビー側を通り、その後両ガイドレール１、１間を下降するように構成されている。なお、図２に示すように、シート体３が巻き取りローラ２に巻き取られて両ガイドレール１、１間を開放している時、及びシート体３が両ガイドレール１、１間を下降途中にある時は、上部押し付けローラ１６は、被押し付け梁１５の上方でかつ該被押し付け梁１５よりもシート体３の他面側（エレベータロビー側）に位置している。
【００５３】
そして、図３に示すように、上記シート体３の重り７が床面に達してシート体３が両ガイドレール１、１間の閉鎖を完了した時点で、上記バネの反力により両作動リンク１４、１４が揺動し、これにより上部押し付けローラ１６が被押し付け梁１５に近づくようにシート体３の一面側（エレベータカゴ側）に向かって斜め下方に揺動し、シート体３の上方部を上部押し付けローラ１６と被押し付け梁１５との間で挟持しうるようになされている。なお、シート体３が巻き取りローラ２に巻き取られて両ガイドレール１、１間を開放している時は、シート体３の先端部に取り付けられた重り７は被押し付け梁１５の直ぐ下に位置している。
【００５４】
上記構成を有する本実施例のスクリーン装置は、エレベータ扉前の通路開口に設置されて使用に供される。そして、火災等の発生あるいは点検等の必要時に、駆動ユニット８のロック機構が手動又は無線等の電気信号により解除されると、重り７をもつシート体３の自重により又は駆動ユニット８の作動により、巻き取りドラム２からシート体３が巻き戻されつつ両ガイドレール１、１間を下降する。このとき、駆動ユニット８の落下防止機構により、シート体３の急激な落下は防止される。そして、シート体３の重り７が床面に着床して、シート体３により両ガイドレール１、１間が閉鎖される。この閉鎖完了時点で、バネの反力により両作動リンク１４、１４が揺動し、これにより上部押し付けローラ１６が被押し付け梁１５に近づくように回転し、シート体３の上方部を上部押し付けローラ１６と被押し付け梁１５との間で挟持する。
【００５５】
そして、本実施例のスクリーン装置では、シート体３が両ガイドレール１、１間を閉鎖しているときに、例えば図５に示すように、エレベータロビー側とエレベータカゴ側との間の圧力差により、シート体３がエレベータロビー側からエレベータカゴ側へたわみつつ移動した場合、シート体３の幅方向端部３ａはシール機能付きストッパ体９と共に内側へ引っ張られつつエレベータカゴ側へ移動する。この移動により、シール機能付きストッパ体９の円筒状の抜け止め部１０とガイドレール１の幅広収納空間５の規制内壁面５ｂとが係合しつつ当接して密着するため、シート体３の幅方向端部３ａがガイドレール１の幅挟挿入口４から抜け出ることを確実に防止することができる。また、このとき、翼片状のシール部１１の傾斜部１１ａ及び平行部１１ｂが共に幅広収納空間５のシール内壁面５ｄと係合しつつ当接して密着する。したがって、円筒状の抜け止め部１０と幅広収納空間５の規制内壁面５ｂとの密着及び翼片状のシール部１１と幅広収納空間５のシール内壁面５ｄとの密着、すなわちシール機能付きストッパ体９の外面のうちシート体３の一面側（エレベータカゴ側）の外面全体と幅広収納空間５の内壁面との密着により、きわめて高いシール性を確保して気密性を格段と向上させることができる。さらに、ガイドレール１の対向壁部６とシート体３の幅方向端部３ａとが面接触により当接するため、この部分でもシール性を確保することができる。しかも、シート体３が両ガイドレール１、１間を閉鎖した状態にあるとき、シール機能付きストッパ体９はガイドレール１の上端から下端までガイドレール１の全体にわたって上下方向に連続して延びて存在するため、シート体３の両側部にあるガイドレール１、１内の全体で気密性を確実に向上させることができる。
【００５６】
また、上述のとおり、シート体３が両ガイドレール１、１間を閉鎖しているとき、シート体３の両側部のみならず、シート体の上方部でも上部押し付けシール機構により幅方向に連続してシールして気密性を高めることができる。しかもこの上部押し付けシール機構の被押し付け梁１５は、両ガイドレール１、１の上端部１ａ、１ａ間に架け渡されてシート体３の幅方向に連続して延びて設けられているため、被押し付け梁１５の端部とガイドレール１の上端部１ａ間にも隙間がなく、この部分から煙等が流通することもない。
【００５７】
したがって、本実施例によれば、両ガイドレール１、１間を閉鎖したシート体３の両側部及び上方部の３辺を確実にシールすることができる。また、シート体３の下端部は重り７が床面に着床することによりシールされる。よって、エレベータカゴ側とエレベータロビー側とが本実施例のスクリーン装置により完全に遮断され、火災等による火炎や煙がエレベータカゴ側とエレベータロビー側との間を流通することを確実に防止することが可能となる。このため、ある階で発生した火災による火炎や煙は該スクリーン装置により遮断され、エレベータシャフトが煙突の役目をして他の階に煙が拡散することを確実に防止することができる。
【００５８】
また、本実施例のスクリーン装置では、シール機能付きストッパ体９が円筒状の抜け止め部１０よりも幅広収納空間５の奥側に翼片状のシール部１１、１２をもっていることから、シール部１１、１２が抜け止め部１０よりも幅広収納空間５の奥側に配置されるので、該シール部１１、１２を熱、風や塵埃等から護るのに有利となり、シール部１１、１２の劣化を抑えて耐久性を向上させることができる。
【００５９】
（実施例２）
図６及び図７に示す本実施例のスクリーン装置は、シール機能付きストッパ体及び幅広収納空間の形状を変更すること以外は、基本的には上記実施例１と同様の構成を有する。
【００６０】
このシール機能付きストッパ体１７は、図６に示すように、シート体３の幅方向端部３ａの一面側に縫い付けにより固定される板状部１８と、この板状部１８に一体に設けられた略円柱状の膨出抜け止め部１９と、この膨出抜け止め部１９に一体に設けられた突起状物としての片状のシール部２０、２１とを有している。
【００６１】
上記膨出抜け止め部１９は、膨出抜け止め部１９の外側からシート体３の一面側（エレベータカゴ側で図６の上側。以下、同様）に向かって斜め外側に延びる斜め部１９ａを一体に有している。そして、上記片状のシール部２０は、この斜め部１９ａの先端からシート体３の一面側へ向かって真っ直ぐ延びるように突出している。また、上記片状のシール部２１は、斜め部１９ａの先端からシート体３の他面側（エレベータロビー側で図６の下側。以下、同様）に向かって斜め外側に延びるように突出している。したがって、このシール機能付きストッパ体１７は、膨出抜け止め部１９よりも外側、すなわち後述する幅広収納空間２４の奥側に片状のシール部２０、２１をもっている。
【００６２】
また、このシール機能付きストッパ体１７は、シート体３の一面側に、上記片状のシール部２０により形成された凸部２２を有するとともに、シート体３の他面側に、上記片状のシール部２１と上記膨出抜け止め部１９の斜め部１９ａとの間に形成された凹部２３を有している。そして、この凸部２２と凹部２３とは、凸部２２が凹部２３内に入り込むことにより互いに係合可能な形状とされている。
【００６３】
一方、上記シール機能付きストッパ体１７を収納するガイドレール１の幅広収納空間２４は、シール機能付きストッパ体１７の略円柱状の膨出抜け止め部１９と片状のシール部２０、２１のそれぞれの外面形状に対応した形状を有している。すなわち、この幅広収納空間２４は、シール機能付きストッパ体１７の略円柱状の膨出抜け止め部１９の外面形状に対応する略円柱状の収納空間２４ａを有し、この収納空間２４ａの幅挟挿入口４側の内壁面が膨出抜け止め部１９と係合しつつ当接可能な規制内壁面２４ｂとされている。また、幅広収納空間２４は、片状のシール部２０、２１の外面形状に対応する溝状の２個の収納空間２４ｃ、２４ｃを有し、この収納空間２４ｃ、２４ｃの内壁面がシール部２０、２１と係合しつつ当接可能なシール内壁面２４ｄとされている。
【００６４】
なお、シール機能付きストッパ体１７の膨出抜け止め部１９と幅広収納空間２４の略円柱状の収納空間２４ａとが当接すれば、当然この当接部位でもシール機能が発揮される。また、シール機能付きストッパ体１７の板状部１８は、シート体３の幅方向端部３ａと共にガイドレール１の幅挟挿入口４内に挿入される。
【００６５】
したがって、本実施例のスクリーン装置は、前記実施例１と同様の作用効果を奏する他、以下に示す作用効果も奏する。
【００６６】
すなわち、本実施例のシール機能付きストッパ体１７は、シート体３の一面側に凸部２２を有するとともに他面側に該凸部２２と係合可能な形状をもつ凹部２３を有するものであるから、シート体３を両ガイドレール１、１間の上方で巻き取りドラム２に巻き取ったときに、図７に示すように、上記凸部２２及び上記凹部２３を該巻き取りドラム２の径方向（図７の上下方向）に凹凸係合しつつ重ね合わせることができる。このため、シール機能付きストッパ体１７が重ね合わされることによる嵩張りや膨れ上がりを少なくすることができ、したがって巻き取られたシート体３を設置するために必要なスペース等が小さくなる。
【００６７】
また、シール機能付きストッパ体１７はシート体３の幅方向端部３ａの一面側に固定された板状部１８を有し、この板状部１８がガイドレール１の幅挟挿入口４内に挿入されているため、シート体３他面側から一面側へ移動した場合は、弾性材料よりなる板状部１８とガイドレール１の対向壁部６とが面接触により当接するため、この部分でも高いシール性を確保することができる。
【００６８】
（実施例３）
図８及び図９に示す本実施例のスクリーン装置は、前記実施例２と同様、シール機能付きストッパ体及び幅広収納空間の形状を変更すること以外は、基本的には上記実施例１と同様の構成を有する。
【００６９】
このシール機能付きストッパ体２５は、図８に示すように、シート体３の幅方向端部３ａの一面側に縫い付けにより固定される板状部２６と、この板状部２６に一体に設けられた略扇柱状の膨出抜け止め部２７と、この膨出抜け止め部２７に一体に設けられた突起状物としての片状のシール部２８、２９とを有している。
【００７０】
一方の片状のシール部２８は、膨出抜け止め部２７の外側からシート体３の一面側（エレベータカゴ側で図８の上側。以下、同様）に向かって斜め外側に延びるように突出している。また、他方の片状のシール部２９は、膨出抜け止め部２７の外側からシート体３の他面側（エレベータロビー側で図８の下側。以下、同様）に向かって斜め外側に延びるように突出している。したがって、このシール機能付きストッパ体２５は、膨出抜け止め部２７よりも外側、すなわち後述する幅広収納空間３２の奥側に片状のシール部２８、２９をもっている。
【００７１】
また、このシール機能付きストッパ体２５は、シート体３の一面側に、膨出抜け止め部２７の該一面側が曲面状に張り出すことにより形成された凸部３０を有するとともに、シート体３の他面側に、膨出抜け止め部２７の該他面側が曲面状に凹むことにより形成された凹部３１を有している。そして、この凸部３０と凹部３１とは、凸部３０が凹部３１内に整合して入り込むことにより互いに係合可能な形状とされている。
【００７２】
一方、上記シール機能付きストッパ体２５を収納するガイドレール１の幅広収納空間３２は、シール機能付きストッパ体２５の略扇柱状の膨出抜け止め部２７の外面形状に略対応する第１収納空間３２ａを有し、この第１収納空間３２ａの幅挟挿入口４側の内壁面が膨出抜け止め部２７と係合しつつ当接可能な規制内壁面３２ｂとされている。また、幅広収納空間３２は、第１収納空間３２ａの奥側に、２個の片状のシール部２８、２９を共に収納可能な第２収納空間３２ｃを有し、この収納空間３２ｃの内壁面がシール部２８、２９と当接可能なシール内壁面３２ｄとされている。
【００７３】
なお、シール機能付きストッパ体２５の膨出抜け止め部２７と幅広収納空間３２の第１収納空間３２ａとが当接すれば、当然この当接部位でもシール機能が発揮される。また、シール機能付きストッパ体２５の板状部２６は、シート体３の幅方向端部３ａと共にガイドレール１の幅挟挿入口４内に挿入される。
【００７４】
したがって、本実施例のスクリーン装置は、基本的には、前記実施例２と同様の作用効果を奏する。
【００７５】
なお、図９は、シート体３が両ガイドレール１、１間の上方で巻き取りドラム２に巻き取られたときに、上記凸部３０及び上記凹部３１が該巻き取りドラム２の径方向（図９の上下方向）に凹凸係合しつつ重ね合わされる様子を示すものである。
【００７６】
（実施例４）
図１０及び図１１に示す本実施例のスクリーン装置は、前記実施例２と同様、シール機能付きストッパ体及び幅広収納空間の形状を変更すること以外は、基本的には上記実施例１と同様の構成を有する。
【００７７】
このシール機能付きストッパ体３３は、図１０に示すように、シート体３の幅方向端部３ａの一面側に縫い付けにより固定される板状部３４と、この板状部３４に一体に設けられた略楕円柱状の膨出抜け止め部３５と、この膨出抜け止め部３５に一体に設けられた突起状物としての３個の小突起状のシール部３６、３７、３８とを有している。
【００７８】
小突起状のシール部３６は、膨出抜け止め部３５の中央部からシート体３の一面側（エレベータカゴ側で図１０の上側。以下、同様）に向かって真っ直ぐ突出している。また、小突起状のシール部３７、３８は、膨出抜け止め部３５の両側部からシート体３の他面側（エレベータロビー側で図１０の下側。以下、同様）に向かってそれぞれ真っ直ぐ突出している。なお、このシール機能付きストッパ体３３は、膨出抜け止め部３５よりも外側、すなわち後述する幅広収納空間４１の奥側に片状のシール部３６、３７、３８をもっているとは必ずしも言えない。
【００７９】
また、このシール機能付きストッパ体３３は、シート体３の一面側に、小突起状のシール部３６が膨出抜け止め部３５の中央部から該一面側に突出することにより形成された凸部３９を有するとともに、シート体３の他面側に、小突起状のシール部３７、３８が膨出抜け止め部３５の両側部から該他面側にそれぞれ突出することにより両シール部３７、３８間に形成された凹部４０を有している。そして、この凸部３９と凹部４０とは、凸部３９が凹部４０内に入り込むことにより互いに係合可能な形状とされている。
【００８０】
一方、上記シール機能付きストッパ体３３を収納するガイドレール１の幅広収納空間４１は、シール機能付きストッパ体３３の略楕円柱状の膨出抜け止め部３５の外面形状に略対応する収納空間４１ａを有し、この収納空間４１ａの幅挟挿入口４側の内壁面が膨出抜け止め部３５と係合しつつ当接可能な規制内壁面４１ｂとされている。また、幅広収納空間４１は、シート体３の一面側の中央部に、上記小突起状のシール部３６と係合しつつ当接可能な小溝部４１ｃを有し、この小溝部４１ｃの内壁面が上記小突起状のシール部３６と係合しつつ当接可能なシール内壁面４１ｄとされている。さらに、幅広収納空間４１の内壁面のうちシート体３の他面側の両側が上記シール部３７、３８と当接可能なシール内壁面４１ｅとされている。加えて、このシール内壁面４１ｅの中央部には、シール機能付きストッパ体３３の上記凹部４０に当接してシール性をさらに高めうる小突条部４１ｆが設けられている。
【００８１】
なお、シール機能付きストッパ体３３の膨出抜け止め部３５と幅広収納空間４１の収納空間４１ａとが当接すれば、当然この当接部位でもシール機能が発揮される。また、シール機能付きストッパ体３３の板状部３４は、シート体３の幅方向端部３ａと共にガイドレール１の幅挟挿入口４内に挿入される。
【００８２】
したがって、本実施例のスクリーン装置は、基本的には、前記実施例２と同様の作用効果を奏する。
【００８３】
なお、図１１は、シート体３が両ガイドレール１、１間の上方で巻き取りドラム２に巻き取られたときに、上記凸部３９及び上記凹部４０が該巻き取りドラム２の径方向（図１１の上下方向）に凹凸係合しつつ重ね合わされる様子を示すものである。
【００８４】
（実施例５）
図１２及び図１３に示す本実施例のスクリーン装置は、前記実施例２と同様、シール機能付きストッパ体及び幅広収納空間の形状を変更すること以外は、基本的には上記実施例１と同様の構成を有する。
【００８５】
このシール機能付きストッパ体４２は、図１２に示すように、シート体３の幅方向端部３ａの一面側に縫い付けにより固定される板状部４３と、この板状部４３に一体に設けられた略円筒状の膨出抜け止め部４４と、この膨出抜け止め部４４に一体に設けられた突起状物としての６個の小突起状のシール部４５〜５０とを有している。
【００８６】
小突起状のシール部４５、４６、４７は、膨出抜け止め部４４からシート体３の一面側（エレベータカゴ側で図１２の上側。以下、同様）に向かって放射状に略均等間隔で突出している。また、小突起状のシール部４８、４９、５０は、膨出抜け止め部４４からシート体３の他面側（エレベータロビー側で図１２の下側。以下、同様）に向かって放射状に略均等間隔で突出している。なお、このシール機能付きストッパ体４２は、膨出抜け止め部４４よりも外側、すなわち後述する幅広収納空間の奥側に小突起状のシール部４５〜５０をもっているとは必ずしも言えない。
【００８７】
また、このシール機能付きストッパ体４２は、シート体３の一面側に、小突起状のシール部４６が膨出抜け止め部４４の中央部から該一面側に突出することにより形成された凸部５１を有するとともに、シート体３の他面側に、小突起状のシール部４８、４９が膨出抜け止め部４４の両側部から該他面側にそれぞれ突出することにより両シール部４８、４９間に形成された凹部５２を有している。そして、この凸部５１と凹部５２とは、凸部５１が凹部５２内に入り込むことにより互いに係合可能な形状とされている。
【００８８】
一方、上記シール機能付きストッパ体４２を収納するガイドレール１の幅広収納空間５３は、シール機能付きストッパ体４２の外面形状に略対応する略円柱状とされ、この幅広収納空間５３の幅挟挿入口４側の内壁面が膨出抜け止め部４４と係合しつつ当接可能な規制内壁面５３ａとされている。また、幅広収納空間５３の内壁面が小突起状のシール部４５〜５０と当接可能なシール内壁面とされる。
【００８９】
なお、シール機能付きストッパ体４２の板状部４３は、シート体３の幅方向端部３ａと共にガイドレール１の幅挟挿入口４内に挿入される。
【００９０】
したがって、本実施例のスクリーン装置は、基本的には、前記実施例２と同様の作用効果を奏する。
【００９１】
なお、図１３は、シート体３が両ガイドレール１、１間の上方で巻き取りドラム２に巻き取られたときに、上記凸部５１及び上記凹部５２が該巻き取りドラム２の径方向（図１３の上下方向）に凹凸係合しつつ重ね合わされる様子を示すものである。
【００９２】
【発明の効果】
以上詳述したように本発明のスクリーン装置は、シート体が両ガイドレール間を閉鎖しているとき、ガイドレールの幅広収納空間内で上下方向に連続して延びて存在するシール機能付きストッパ体のシール部と該幅広収納空間の内壁面との当接により、両者間を上下方向に連続してシールすることができる。このため、シート体が両ガイドレール間を閉鎖しているとき、シート体の両側部にあるガイドレール内でシート体とガイドレール内面との間の気密性を確実に向上させることができる。したがって、本発明のスクリーン装置によれば、煙、風や塵埃等を確実に遮断することが可能となる。
【図面の簡単な説明】
【図１】  本実施例１のスクリーン装置の全体構成を示す、部分的に破断した斜視図である。
【図２】  本実施例１のスクリーン装置に係り、シート体が両ガイドレール間を下降しているときの上部押し付けシール機構の状態を示す模式図である。
【図３】  本実施例１のスクリーン装置に係り、シート体により両ガイドレール間が閉鎖されたときの上部押し付けシール機構の状態を示す模式図である。
【図４】  本実施例１のスクリーン装置に係り、シート体の一面側と他面側との間で圧力差がない無圧力時におけるシート体の状態を示す部分断面図である。
【図５】  本実施例１のスクリーン装置に係り、風圧等でシート体が移動した状態を示す部分断面図である。
【図６】  本実施例２のスクリーン装置に係り、シール機能付きストッパ体及びガイドレールの幅広収納空間の形状を示す部分断面図である。
【図７】  本実施例２のスクリーン装置に係り、シート体が巻き取りドラムに巻き取られたときの様子を示す部分断面図である。
【図８】  本実施例３のスクリーン装置に係り、シール機能付きストッパ体及びガイドレールの幅広収納空間の形状を示す部分断面図である。
【図９】  本実施例３のスクリーン装置に係り、シート体が巻き取りドラムに巻き取られたときの様子を示す部分断面図である。
【図１０】  本実施例４のスクリーン装置に係り、シール機能付きストッパ体及びガイドレールの幅広収納空間の形状を示す部分断面図である。
【図１１】  本実施例４のスクリーン装置に係り、シート体が巻き取りドラムに巻き取られたときの様子を示す部分断面図である。
【図１２】  本実施例５のスクリーン装置に係り、シール機能付きストッパ体及びガイドレールの幅広収納空間の形状を示す部分断面図である。
【図１３】  本実施例５のスクリーン装置に係り、シート体が巻き取りドラムに巻き取られたときの様子を示す部分断面図である。
【符号の説明】
１…ガイドレール                ２…巻き取りドラム
３…シート体                  ３ａ…幅方向端部
４…幅挟挿入口
５、２４、３２、４１、５３…幅広収納空間
７…重り
８…駆動ユニット
９、１７、２５、３３、４２…シール機能付きストッパ体
１０、１９、２７、３５、４４…抜け止め部
１１、１２、２０、２１、２８、２９、３６〜３８、４５〜５０…シール部
１３…上部押し付けシール機構
１４…作動リンク
１５…被押し付け梁（被押し付け部）
１６…上部押し付けローラ（押し付け部材）
２２、３０、３９、５１…凸部
２３、３１、４０、５２…凹部
【図１】
0003804048.tif 000002
【図２】
0003804048.tif 000003
【図３】
0003804048.tif 000004
【図４】
0003804048.tif 000005
【図５】
0003804048.tif 000006
【図６】
0003804048.tif 000007
【図７】
0003804048.tif 000008
【図８】
0003804048.tif 000009
【図９】
0003804048.tif 000010
【図１０】
0003804048.tif 000011
【図１１】
0003804048.tif 000012
【図１２】
0003804048.tif 000013
【図１３】
0003804048.tif 000014